(57)【要約】本発明は、試料中の目的対象物を分析するための分析装置（４）と、試料を採取するために使用される試料採取用具（５）と、を一体収納可能なように構成された一体収納アダプタ（Ｘ１）に関する。この一体収納アダプタ（Ｘ１）は、たとえば分析装置（４）を収納可能な第１ホルダ部（１）と、試料採取用具（５）を収納可能な第２ホルダ部（２）と、を有している。第１および上記第２ホルダ部（１，２）のうちの少なくとも一方は、分析装置（４）または試料採取用具（５）の一部を露出させ、かつ分析装置（４）または試料採取用具（５）を収納した状態で、分析装置（４）による試料の分析または試料採取用具（５）による試料の採取を行えるように構成するのが好ましい。一体収納アダプタ（Ｘ１）は、分析装置（４）および試料採取用具（５）のうちの少なくとも一方に使用される物品（４５）、もしくは試料の分析または試料の採取に派生して使用する物品を収容することができる物品収容部（３）をさらに備えていてもよい。
2003068071.tif 000002
【特許請求の範囲】
【請求項１】
試料中の目的対象物を分析するための分析装置と、試料を採取するための試料採取用具と、を一体収納可能なように構成されている、一体収納アダプタ。
【請求項２】
上記分析装置を収納可能な第１ホルダ部と、上記試料採取用具を収納可能な第２ホルダ部と、を備えている、請求項１に記載の一体収納アダプタ。
【請求項３】
上記第１および第２ホルダ部のうちの少なくとも一方は、上記分析装置または上記試料採取用具の一部を露出させ、かつ上記分析装置または上記試料採取用具を収納した状態で、上記分析装置による試料の分析および上記試料採取用具による試料の採取のうちの少なくとも一方を行えるようにするための開口部を有している、請求項２に記載の一体収納アダプタ。
【請求項４】
上記第１ホルダ部と上記第２ホルダ部とは、仕切壁により仕切られており、
上記仕切壁には、上記第１ホルダ部の内部と上記第２ホルダ部の内部とを連通させるための切欠が設けられている、請求項２に記載の一体収納アダプタ。
【請求項５】
上記第１および第２ホルダ部は、一体成形されている、請求項２に記載の一体収納アダプタ。
【請求項６】
上記分析装置および上記試料採取用具を収納可能な本体部と、上記分析装置および上記試料採取用具のうちの少なくとも一方に使用される物品、もしくは試料の分析または試料の採取に派生して使用する物品を収容することができる物品収容部と、を備えている、請求項１に記載の一体収納アダプタ。
【請求項７】
上記本体部は、上記分析装置を収納可能な第１ホルダ部と、上記試料採取用具を収納可能な第２ホルダ部と、を有している、請求項６に記載の一体収納アダプタ。
【請求項８】
上記物品収容部は、複数の収容空間を有している、請求項６に記載の一体収納アダプタ。
【請求項９】
上記物品収容部は、上記本体部に対して着脱自在に構成されている、請求項６に記載の一体収納アダプタ。
【請求項１０】
上記物品収容部は、上記本体部に対して一体形成されている、請求項６に記載の一体収納アダプタ。
【請求項１１】
上記第１ホルダ部の内面と上記分析装置の表面と、および上記第２ホルダ部の内面と上記試料採取用具の表面との間隔のうちの少なくとも一方の間隔を規定するためのスペーサを備えている、請求項２に記載の一体収納アダプタ。
【請求項１２】
上記スペーサは、上記第１および第２ホルダのうちの少なくとも一方の内面から突出した複数の突起により構成されている、請求項１１に記載の一体収納アダプタ。
【請求項１３】
上記複数の突起は、上記第１ホルダまたは上記第２ホルダに対して分析装置または試料採取用具を挿入する際に、折り曲げあるいは切断可能なように構成されている、請求項１２に記載の一体収納アダプタ。
【請求項１４】
上記複数の突起は、互いに高さの異なる複数種の突起を含んでいる、請求項１３に記載の一体収納アダプタ。
【請求項１５】
上記スペーサは、弾性体により構成されている、請求項１１に記載の一体収納アダプタ。
【請求項１６】
上記分析装置は、血糖値測定装置である、請求項１に記載の一体収納アダプタ。
【請求項１７】
上記試料採取用具は、皮膚に対して穿刺用要素を穿刺するために使用される穿刺装置である、請求項１に記載の一体収納アダプタ。
【発明の詳細な説明】
技術分野
本発明は、試料中の目的対象物を分析する分析装置と、試料を採取するために使用される試料採取用具と、を一体的に収納することができる一体収納アダプタに関する。
背景技術
試料中の目的対象物を分析するために、様々な分野において分析装置が使用されている。分析装置は、たとえば医療もしくはスポーツの分野では血液中に存在する目的成分の濃度を測定するために、食品分野では食品中の成分を分析するために、環境分野では水、土壌あるいは気体の汚染の程度を分析するために使用されている。
このような分析を行うに際しては、十分な量の試料を確保するため、試料の採取が必要となる。たとえば、個人が血液中のグルコース濃度を測定する場合には、試料採取用具を用いて試料（血液）の採取が行われる。試料採取用具としては、ランセットを装着して使用する、いわゆるランセットデバイスが汎用されている。このランセットデバイスでは、ランセットにより指先や前腕に穿刺を行って皮膚から血液を出液させ、この血液を分析装置に供することにより濃度測定が行われる。一方、血液中のグルコース濃度の測定は、たとえば測定用センサを装着して使用する自己血糖値測定装置が使用されている。
ランセットデバイスおよび自己血糖値測定装置を用いた血糖値の測定では、ランセットデバイス、ランセット、自己血糖値測定装置および測定用センサを準備する必要がある。これらの物品は、測定時にセットで使用されるものであるが、血糖値の測定は常に家の中で使用するとは限らない。このため、外出時などにおいては、血糖値測定に必要な物品の全てを携帯しなければならず、測定者の負担となっていた。一方、携帯すべき物品数が多くなれば、携帯し忘れや紛失する機会が多くなってしまう。
最近では、血糖値測定に必要な物品が小型化され、それらの物品の携帯性は向上している。ところが、測定者が糖尿病患者である場合には、血糖値測定に必要な物品に加えて、インシュリンと注入器を携帯する必要がある。そのため、とくに糖尿病患者にとっては、上述した問題がより顕著となり、血糖値測定に必要な物品などの携帯性を向上させることに対する要望はより大きい。
このような問題を解決しようとするものとして、日本国特表２００１−５２４６８０号公報には切開器付測定器が開示されている。この切開器付測定器は、切開装置を測定器に対して着脱自在とするための接続手段を設けたものである。接続手段としては、たとえば測定器にＶ字型の凹部を設け、この凹部に切開装置を抱える構成、あるいは切開装置に設けたクリップを、測定器に設けた溝部に係合する構成が採用されている。このような切開器付測定器では、測定器および切開装置の携帯時には、２物品を１物品として取り扱うことができるため、携帯性が向上する。
しかしながら、切開器付測定器では、測定器や切開装置に対して、それらを接続するための接続手段を設ける必要がある。そのため、既存の測定装置や切開装置（試料採取用具）に適用することができず、使用者が現在使用している測定装置や試料採取用具の携帯性を向上させることができない。
切開器付測定器では、落下等により測定器に大きな衝撃が与えられると、接続手段が破損あるいは変形し、測定器に対して測定装置を接続することができなくなる虞がある。たとえば、接続手段として測定器に凹部やクリップを設ける場合には、凹部やクリップが破損または変形すれば、測定器に対して切開装置を接続することができなくなってしまう。
発明の開示
本発明は、試料の分析に必要な複数の物品（たとえば分析装置や試料採取用具）の携帯性を、長期にわたって向上させることを目的としている。
本発明により提供される一体収納アダプタは、試料中の目的対象物を分析するための分析装置と、試料を採取するための試料採取用具と、を一体収納可能なように構成されている。
この一体収納アダプタは、たとえば分析装置を収納可能な第１ホルダ部と、試料採取用具を収納可能な第２ホルダ部と、を備えたものとして構成される。
本発明の一体収納アダプタは、分析装置および試料採取用具を収納可能な本体部と、分析装置および試料採取用具のうちの少なくとも一方に使用される物品（たとえば分析用センサやランセット）、もしくは試料の分析または試料の採取に派生して使用する物品（たとえばインシュリンなどの薬剤、注射器、消毒具）を収容することができる物品収容部と、を備えたものとして構成してもよい。
本体部は、分析装置を収納可能な第１ホルダ部と、試料採取用具を収納可能な第２ホルダ部と、を有するものとして構成するのが好ましい。
第１および上記第２ホルダ部のうちの少なくとも一方は、たとえば分析装置または試料採取用具の一部を露出させ、かつ分析装置および試料採取用具を収納した状態で、分析装置による試料の分析および試料採取用具による試料の採取のうちの少なくとも一方を行えるようにするための開口部を有するものとして構成される。
第１ホルダ部と第２ホルダ部とは、たとえば仕切壁により仕切られている。この場合、仕切壁には、第１ホルダ部の内部と第２ホルダ部の内部とを連通させるための切欠を設けるのが好ましい。
物品収容部は、複数の収容空間を有するものとして構成するのが好ましい。この物品収容部は、着脱自在に構成するのが好ましい。そうすれば、物品収容部に物品を収容しない場合には、アダプタ全体を小型化して携帯することができるため、携帯性に優れたものとなる。物品収容部は、本体部に対して一体的に形成してもよい。
本発明の一体収納アダプタでは、ホルダ部および収納部毎に異なる色彩を施していても良い。たとえば、第１ホルダ部は赤色、第２ホルダ部は黄色、未使用の分析用センサを収容する部分は緑色、未使用のランセットを収容する部分は紫色、使用後の分析用センサおよびランセットを収容する部分は黒色に着色される。こうすれば、使用者の経験により一目で不足物品を見分けることができ、容易かつ早期に不足物品を補充することができるようになる。
本発明の一体収納アダプタは、分析装置および試料採取用具を一体的に収納し、必要に応じてその他の物品を収容することにより、測定を行う際に必要なものをコンパクトに纏めることができる。そのため、血糖値測定などの試料の分析に必要な物品を携帯する場合に、使用者の負担を小さくすることができる。
このような利益を得るにあたって、分析装置および試料採取用具に対して改良または改造を加える必要はない。すなわち、ユーザーが使用している既存の分析装置および試料採取用具のサイズに応じて、予め準備された複数の一体収納アダプタから、ユーザー所有の物品の組み合わせに最も適合する一体収納アダプタを選択して使用するか、ユーザー所有の物品の大きさに合わせて一体収納アダプタを製造すれば良い。分析装置、試料採取用具およびその他の分析に必要な物品は、販売する会社毎に寸法が異なっているが、本発明の一体収納アダプタは、既存商品に応じた寸法にあった金型を予め複数準備しておき、ユーザー所有の物品の組み合わせに応じて金型を組み合わせてカスタムメイドすることも可能である。
本発明の一体収納アダプタでは、分析装置および試料採取用具の機種、種類、製造年、メーカを問わず一体収納アダプタに使用することが可能となる。したがって、本発明の一体収納アダプタを用いれば、新たに一体化可能な測定用具を購入せずとも、現在所有の分析装置および試料採取用具を一体収納してこれらを一纏りとして携帯することができ、携帯性の向上が図れる。
ただし、一体収納アダプタは、少なくとも分析装置および試料採取用具が安定するようにはめ込むことができ、また、一度はめ込んだ分析装置や試料採取用具を取出し易い形状とするのが好ましい。たとえば、第１および第２ホルダ部の内面には、各装置の表面形状に倣った凹凸を形成するのが好ましい。そうすれば、一体収納アダプタにおいて、分析装置および試料採取用具を安定した状態で装着させることができるため、携帯時、およびアダプタに装着したまま分析装置や試料採取用具を使用する際に、これらの物品がぐらつくこともない。
本発明の一体収納アダプタは、分析装置および試料採取用具の外面と第１および第２ホルダ部の内面との間に、スペーサを介在させてもよい。そうすれば、第１または第２ホルダ部において、分析装置および試料採取用具を安定した状態で保持することができるようになる。
スペーサは、本体部とは別部材として構成されたものであっても、各ホルダ部の内面から突出させた複数の突起により構成されるものであってもよい。
別部材のスペーサを用いる場合には、予め想定される形状に対応したものを複数準備しておき、その形状に対応したスペーサを選択して使用するようにすることができる。そうすれば、種々の形状の分析装置や試料採取用具に対応しつつも、それらの物品を安定して収納することができる。別部材のスペーサは、弾性体に構成してもよい。そうすれば、スペーサが分析装置および試料採取用具の外形に対応して変形するため、分析装置および試料採取用具を安定した状態で保持することができるようになる。
一方、複数の突起を設ける構成では、たとえば不必要な突起を折り曲げあるいは取り除くことにより、必要な突起により分析装置や試料採取用具を押圧し、これらの物品を安定して収納することができる。この場合、複数の突起は、互いに高さの異なる複数種の突起を含んでいるのが好ましい。
本発明の一体収納アダプタの外形は特に限定されないが、全体的に丸味を帯びている形状であるのが好ましく。そうすれば、手に持った感触も心地良く、バッグやポケットへの収容性が良くなる。
本発明の一体収納アダプタは、典型的にはプラスチック又は金属を用いて形成することができる。また、金属の表面をプラスチックで薄く被覆したものであってもよい。この場合には、プラスチックの分だけ厚みは増すが、一体収納アダプタを保持した時の感触を和らげる効果もある。また、一体収納アダプタは分析装置、試料採取用具、その他の物品を装着することが目的であるため、一定の形状を保つことができる材料であれば良く、ゴムやシリコンなどの弾力性のある材料により形成してもよい。
ただし、一体収納アダプタは、落下しても割れない程度の強度を持つことが望まれるため、衝撃に強い材質を用いて製造するのが好ましい。破損を防ぐという目的で、一体収納アダプタの周辺部に衝撃を吸収するための弾性部材を配置していても良い。また、携帯性を考慮した場合、軽量化が可能な材料を用いるのが好ましく、一体収納アダプタは、落下等による外的圧力に耐え得る必要がある一方、軽量化の要求にも応える必要があるために、これらを考慮してその厚みが設定される。この厚みは、使用する材料によっても異なるが、０．１〜２．０ｍｍ程度に設定される。
本発明の一体収納アダプタに収容することができる分析装置は、特に限定されない。分析装置は、分析用センサを装着して使用するものばかりでなく、分析用センサの装着を必要としないものであっても構わない。分析用センサは、酵素反応や抗原抗体反応を利用するものばかりでなく、化学反応を利用するものであってもよい。それに伴い装置における検出方法も特に限定されることはなく、光学的な検出方法であっても、電気化学的な検出方法であっても構わない。
本発明の一体収納アダプタに装着される試料採取用具は特に限定されない。試料採取用具は、分析装置による分析に必要な試料を採取するための用具であれば良く、たとえば穿刺装置、液体を正確に採取するのに使用するピペットやシリンジを例示することができる。
発明を実施するための最良の形態
本発明の好ましい実施の形態について、血糖値測定装置（測定装置の一例）およびランセットデバイス（試料採取用具の一例）を収納し得るアダプタを例にとって、図面を参照しつつ具体的に説明する。
図１ないし図５には、本発明の第１の実施の形態に係る一体収納アダプタＸ１を示した。この一体収納アダプタＸ１は、第１ホルダ部１、第２ホルダ部２、および物品収容部３を有している。
第１ホルダ部１は、図１および図２に示したように血液中のグルコース濃度を測定する血糖値測定装置４を収納するためのものである。図示した血糖値測定装置４は、バイオセンサを装着して使用するものである。図３および図４によく表れているように、第１ホルダ部１は、互いにつながった上部開口部１０および側部開口部１１を有している。
上部開口部１０および側部開口部１１は、第１ホルダ部１に血糖値測定装置４を収納した状態において、血糖値測定装置４に対する操作を行えるようにする役割を有している。より具体的には、図１によく表れているように、上部開口部１０は、バイオセンサを挿入するための挿入口４０や操作ボタン４１Ａ，４１Ｂが露出するように設けられている。上部開口部１０はさらに、第１ホルダ部１に血糖値測定装置４を収納する際の挿入口としても機能する。一方、側部開口部１１は、表示画面４２や操作ボタン４３Ａ〜４３Ｃなどを露出させる役割を有している。したがって、一体収納アダプタＸ１では、第１ホルダ部１に血糖値測定装置４を収容した状態において、血糖値の測定を行うことができる。
第２ホルダ部２は、図１および図２に示したように血液を採取するために使用するランセットデバイス５を収納するためのものである。図示したランセットデバイス５は、ランセットを装着し、かつランセットによって皮膚を穿刺するために使用するものである。図３および図４によく表れているように、第２ホルダ部２は、上部開口部２０および下部開口部２１を有している。
上部および下部開口部２０，２１は、第２ホルダ部２にランセットデバイス５を収納した状態において、ランセットデバイス５を用いての穿刺操作が行えるようにする役割を有している。より具体的には、図２によく表れているように、上部開口部２０は、第２ホルダ部２にランセットデバイス５を収納した場合に、ランセットデバイス５の操作部分（ランセットを押し出すための操作キャップ５０など）を露出するように設けられている。上部開口部２０はさらに、第２ホルダ部２にランセットデバイス５を収納する際の挿入口としても機能する。一方、下部開口部２１は、第２ホルダ部２にランセットデバイス５を収納した場合に、ランセットデバイス５に対するランセットの着脱やランセットの移動を可能にするために、ランセットデバイス５の先端部５１が露出するように設けられている。したがって、一体収納アダプタＸ１では、第２ホルダ部２に血糖値測定装置４を収容した状態において、血糖値の測定を行うことができる。
図３および図４に示したように、第１および第２ホルダ部１，２の間は、仕切壁６により仕切られている。この仕切壁６には、第１ホルダ部１の内部と第２ホルダ部２の内部と連通させる切欠６０が設けられている。この切欠６０は、一体収納アダプタＸ１の軽量化を図るためのものである。ただし、一体収納アダプタＸ１において、切欠６０を設けるか否かは設計事項である。
第１および第２ホルダ部１，２の内部には、図３ないし図５に示したようにスペーサ７０，７１が配置されている。図５によく表れているように、スペーサ７０は、第１ホルダ部１の内面１Ａと血糖値測定装置４の表面４Ａとの間隔を規定するためのものである。一方、スペーサ７１は、第２ホルダ部２の内面２Ａとランセットデバイス５の表面５Ａとの間隔を規定するためのものである。スペーサ７０，７１は、樹脂成形などにより変形しにくい硬さに形成されており、外面形状が第１または第２ホルダ部１，２の内面形状に対応したものとなっている一方、内面形状が血糖値測定装置４またはランセットデバイス５の外面形状に対応したものとなっている。スペーサ７０，７１は、たとえば予め想定される血糖値測定装置４およびランセットデバイス５の外面形状に対応した内面形状を有する複数のスペーサを準備しておき、その中から血糖値測定装置４やランセットデバイス５の外面形状に最も適合するものとして選択されたものである。このようにすれば、既存の種々の血糖値測定装置４やランセットデバイス５に対してフレキシブルに対応することができる。しかも、スペーサ７０，７１を用いれば、第１および第２ホルダ部１，２に対して血糖値測定装置４およびランセットデバイス５を安定した状態で収納することができるとともに、血糖値測定装置４およびランセットデバイス５の出し入れが容易となる。血糖値測定装置４およびランセットデバイス５を安定した状態で収納できれば、第１および第２ホルダ部１，２に収納した状態で血糖値測定装置４およびランセットデバイス５を使用する場合であっても、操作時に血糖値測定装置４およびランセットデバイス５がぐらつくなどの問題も生じにくくなる。
スペーサは、ゴム、発泡体などの弾性体により形成してもよい。弾性体のスペーサでは、血糖値測定装置４およびランセットデバイス５の外面形状に応じて、スペーサが変形するため、予め複数種類のスペーサを準備しておく必要がなくなるといった利点がある。スペーサは、図６に示したような構成であってもよい。図６に示したスペーサは、第１または第２ホルダ部１，２の内面から突出する複数の突起７２，７３として構成されている。複数の突起７２，７３は、互いに高さの異なる突起７２，７３を含んでいる。この構成では、たとえば高さの大きな不必要な突起７３を折り曲げあるいは取り除くことにより、必要な突起７２が血糖値測定装置４やランセットデバイス５の間に介在する。これにより、突起７２が血糖値測定装置４やランセットデバイス５を押圧することとなり、血糖値測定装置４やランセットデバイス５が第１および第２ホルダ部１，２に対して安定して収納される。
図２によく表れているように、物品収容部３は、血糖値測定装置４またはランセットデバイス５に使用するための物品を収容するためのものであり、図３および図４に示したように第１ないし第３収容空間３１，３２，３３を有している。
図２に示したように、収容空間３１，３２には、たとえば血糖値測定装置４に使用するバイオセンサ４５、ランセットデバイス５に使用するランセット５５が収容されている。図面上には、バイオセンサ４５およびランセット５５がラミネート包装された状態のものが示されている。収容空間３３は、たとえば使用済みのバイオセンサやランセットを収容するために使用される。各収容空間３１，３２，３３は上方に開放しているが、収容された物品が散乱しないように、上部開口を閉鎖するための蓋を備えたものとして構成してもよい。
一体収納アダプタＸ１では、血糖値測定装置４とランセットデバイス５とを一体的に収納し、これらを一体的に携帯することができるため、携帯時の使用者の負担が小さい。物品収容部３には、血糖値測定装置４やランセットデバイス５に使用する物品、たとえばバイオセンサ４５やランセット５５を収容できる。したがって、一体収納アダプタＸ１では、血糖値の測定に必要な物品を一纏りとして携帯することが可能となるため、血糖値測定に必要な物品の携帯し忘れや紛失を抑制することができる。
一体収納アダプタＸ１では、既存の血糖値測定装置４やランセットデバイス５を収納することができるので、現在所有している既存の血糖値測定装置４やランセットデバイス５の携帯性を向上させることができる。このような利点は、既存の血糖値測定装置４やランセットデバイス５に改良や改造を加えることなく、またユーザーが新たに一体化可能な切開器付測定器を購入せずとも得ることができる。
次に、本発明の第２の実施の形態に係る一体収納アダプタＸ２を、図７および図８を参照して説明する。これらの図においては、先に説明した一体収納アダプタＸ１（図１ないし図４参照）と同一の要素については、同一の符号を付してあり、それらのものについての重複説明は省略するものとする。
図７に示したように、一体収納アダプタＸ２は、第１および第２ホルダ部１，２を備えた本体部８Ａに対して、物品収納部８Ｂを着脱自在に構成したものである。本体部８Ａには上下方向に延びるスリット８ａが設けられているのに対して、図８によく表れているように物品収納部８Ｂにはクリップ８ｂが設けられている。したがって、本体部８Ａのスリット８ａと物品収納部８Ｂのクリップ８ｂを係合させることにより、本体部８Ａに対して、物品収納部８Ｂを装着することができる。
一体収納アダプタＸ２では、物品収容部８Ｂに物品を収容しない場合には、本体部８Ｂのみを携帯することができるため、携帯性に優れ、また使用方法に広がりがある。
一体収納アダプタに収納する分析装置および試料分析具の組み合わせは、血糖値測定装置とランセットデバイスの組み合わせには限定されない。
物品収容部における収容空間の個数は設計事項であり、３つ以外であってもよく、また物品収容部を省略してもよい。
【図面の簡単な説明】
図１は、本発明の第１の実施の形態に係る一体収納アダプタに、血糖値測定装置およびランセットデバイスを収納した状態を、正面側から見た斜視図である。
図２は、図１に示した状態を、背面側から見た斜視図である。
図３は、図１に示した一体収納アダプタを正面側から見た斜視図である。
図４は、図１に示した一体収納アダプタ背面側から見た斜視図である。
図５は、図１のＶＡ−ＶＡ線に沿う断面図である。
図６は、スペーサの他の例を説明するための図５に相当する断面図である。
図７は、本発明の第２の実施の形態に係る一体収納アダプタを、背面側から見た斜視図である。
図８は、図７に示した物品収容部を示す斜視図である。
【図１】
2003068071.tif 000003
【図２】
2003068071.tif 000004
【図３】
2003068071.tif 000005
【図４】
2003068071.tif 000006
【図５】
2003068071.tif 000007
【図６】
2003068071.tif 000008
【図７】
2003068071.tif 000009
【図８】
2003068071.tif 000010
【国際調査報告】
2003068071.tif 000011
2003068071.tif 000012
2003068071.tif 000013
2003068071.tif 000014